(57)【要約】【課題】常に嗜好に見合った内容の合成画像を得ることができる画像送信装置を提供する。【解決手段】属性付きアドレス帳１６に登録してある個人のアドレス帳データに加えて該個人の趣味嗜好を含む属性情報から関連のある最適合成画像をメモリ１９の属性情報付き画像データファイルから抽出し、それを画像合成タイミング制御部１４の合成順序リストに登録する。そして、複数の最適合成画像を該合成順序リストに登録した後、日付や時間に関るものを優先して選択し、送信画像に合成して送信する。また、複数の最適合成画像を「時間情報」、「キー操作」、「音声認識結果」、「感情推定結果」又は「画像認識結果」に基づいて切り替える。【選択図】図１
2008294723.tif 000002
【特許請求の範囲】
【請求項１】
被写体を撮像する撮像手段と、
個人のアドレス帳データに加えて該個人の趣味嗜好を含む属性情報を記憶する属性情報記憶手段と、
画像データファイルと該画像データファイルに関連付けられた画像属性情報とを記憶する画像ファイル記憶手段と、
前記属性情報記憶手段に記憶されている前記属性情報を参照して、該属性情報と関連のある画像属性情報を持つ画像データファイルを前記画像ファイル記憶手段から抽出する画像抽出手段と、
前記画像抽出手段で抽出された画像データファイルを前記撮像手段で被写体を撮像することにより得られた送信画像に合成する画像合成手段と、
前記画像合成手段で得られた合成画像を送信する送信手段と、
を備える画像送信装置。
【請求項２】
前記画像抽出手段で抽出された画像データファイルを前記送信画像に合成するタイミングを制御する画像合成タイミング制御手段と、
前記画像抽出手段で抽出された複数の画像データファイル夫々を前記送信画像に合成する順序を制御する合成順序制御手段と、
前記画像合成タイミング制御手段で制御される前記タイミング及び前記合成順序制御手段で制御される前記順序に従って前記送信画像に合成する前記複数の画像データファイルを切り替える合成画像切替手段と、
を備える請求項１に記載の画像送信装置。
【請求項３】
時間情報を取得する時間情報取得手段を備え、
前記合成画像切替手段は、前記時間情報取得手段で取得された時間情報に基づいて合成する前記複数の画像データファイルを切り替える請求項２に記載の画像送信装置。
【請求項４】
装置を操作するためのキー入力手段を備え、
前記合成画像切替手段は、前記キー入力手段のキー操作に基づいて合成する前記複数の画像データファイルを切り替える請求項２に記載の画像送信装置。
【請求項５】
音声を認識する音声認識手段を備え、
前記合成画像切替手段は、前記音声認識手段の音声認識結果に基づいて合成する前記複数の画像データファイルを切り替える請求項２に記載の画像送信装置。
【請求項６】
感情を推定する感情推定手段を備え、
前記合成画像切替手段は、前記感情推定手段の感情推定結果に基づいて合成する前記複数の画像データファイルを切り替える請求項２に記載の画像送信装置。
【請求項７】
画像を認識する画像認識手段を備え、
前記合成画像切替手段は、前記画像認識手段の画像認識結果に基づいて合成する前記複数の画像データファイルを切り替える請求項２に記載の画像送信装置。
【発明の詳細な説明】
【技術分野】
【０００１】
本発明は、送信画像に付加画像を合成して送信する画像送信装置に関する。
【背景技術】
【０００２】
近年、カメラを搭載した携帯端末や、カメラを搭載してテレビ電話が行えるようにした携帯端末が普及している。カメラを搭載した携帯端末には、被写体を撮像して得られた画像に付加画像を合成できる機能を備えたものがある。特許文献１には、撮影を実行する毎に位置情報をコンテンツサーバに送信し、コンテンツサーバから送られてくる付加画像を受信して撮影画像と合成することで、アミューズメント性の高い画像が得られるようにしたカメラシステムが開示されている。また、特許文献２には、場所や時間（季節）に応じた衣装画像を記憶しておき、記憶している一連の衣装画像の中から、場所や時間に応じて被写体画像に対応したポーズの衣装画像を取得し、取得した衣装画像を被写体画像と合成する画像出力装置が開示されている。
【０００３】
【特許文献１】特開２００４−２４８０３７号公報
【特許文献２】特開２００５−１３６８４１号公報
【発明の開示】
【発明が解決しようとする課題】
【０００４】
しかしながら、上述した従来技術では、必ずしも趣味や嗜好に合った合成画像が得られるとは限らなかった。即ち、特許文献１で開示されたカメラシステムは、コンテンツサーバ側で用意された付加画像を使用し、特許文献２で開示された画像出力装置は、場所や時間に応じた衣装画像を使用することから、付加画像の合成対象である被写体画像が違っていても同じ付加画像が合成されることになる。例えば特許文献１の場合、ＡさんとＢさんを同じ場所で撮影すると、同じ内容の付加画像が合成されることになる。特許文献２の場合も同様で、ＡさんとＢさんを同じ場所又は同じ時間（季節）で撮影すると、同じ内容の付加画像が合成されることになる。
【０００５】
また、従来のテレビ電話機能を備えた携帯端末においても、通話相手の趣味や嗜好にあった合成画像を発信できるものはなかった。
【０００６】
本発明は、係る事情に鑑みてなされたものであり、常に嗜好に見合った内容の合成画像を得ることができる画像送信装置を提供することを目的とする。
【課題を解決するための手段】
【０００７】
本発明の画像送信装置は、被写体を撮像する撮像手段と、個人のアドレス帳データに加えて該個人の趣味嗜好を含む属性情報を記憶する属性情報記憶手段と、画像データファイルと該画像データファイルに関連付けられた画像属性情報とを記憶する画像ファイル記憶手段と、前記属性情報記憶手段に記憶されている前記属性情報を参照して、該属性情報と関連のある画像属性情報を持つ画像データファイルを前記画像ファイル記憶手段から抽出する画像抽出手段と、前記画像抽出手段で抽出された画像データファイルを前記撮像手段で被写体を撮像することにより得られた送信画像に合成する画像合成手段と、前記画像合成手段で得られた合成画像を送信する送信手段と、を備える。
【０００８】
この構成によれば、撮像手段で撮像した画像に対して、送信先の通話相手に関連のある付加画像を合成するので、送信先の通話相手の嗜好に見合った内容の合成画像を得ることができ、アミューズメント性の高い画像を発信することができる。
【０００９】
また、上記構成において、前記画像抽出手段で抽出された画像データファイルを前記送信画像に合成するタイミングを制御する画像合成タイミング制御手段と、前記画像抽出手段で抽出された複数の画像データファイル夫々を前記送信画像に合成する順序を制御する合成順序制御手段と、前記画像合成タイミング制御手段で制御される前記タイミング及び前記合成順序制御手段で制御される前記順序に従って前記送信画像に合成する前記複数の画像データファイルを切り替える合成画像切替手段と、を備える。
【００１０】
この構成によれば、送信中に複数の画像データファイルを切り替えて送信画像に合成するので、よりアミューズメント性の高い飽きのこない画像を発信することができる。
【００１１】
また、上記構成において、時間情報を取得する時間情報取得手段を備え、前記合成画像切替手段は、前記時間情報取得手段で取得された時間情報に基づいて合成する前記複数の画像データファイルを切り替える。
【００１２】
この構成によれば、時間に見合った内容の付加画像を合成することができる。例えば、通話相手の誕生日や結婚記念日には、それぞれに見合った内容の合成画像を送信することができる。また、通話相手の好きなスポーツや好きな食べ物があれば、それに関連する内容の合成画像を送信することができる。
【００１３】
また、上記構成において、装置を操作するためのキー入力手段を備え、前記合成画像切替手段は、前記キー入力手段のキー操作に基づいて合成する前記複数の画像データファイルを切り替える。
【００１４】
この構成によれば、合成する複数の画像データファイルの切り替えをキー操作によって行うことができる。
【００１５】
また、上記構成において、音声を認識する音声認識手段を備え、前記合成画像切替手段は、前記音声認識手段の音声認識結果に基づいて合成する前記複数の画像データファイルを切り替える。
【００１６】
この構成によれば、合成する複数の画像データファイルの切り替えを音声によって行うことができる。
【００１７】
また、上記構成において、感情を推定する感情推定手段を備え、前記合成画像切替手段は、前記感情推定手段の感情推定結果に基づいて合成する前記複数の画像データファイルを切り替える。
【００１８】
この構成によれば、合成する複数の画像データファイルの切り替えを感情推定によって行うことができる。
【００１９】
また、上記構成において、画像を認識する画像認識手段を備え、前記合成画像切替手段は、前記画像認識手段の画像認識結果に基づいて合成する前記複数の画像データファイルを切り替える。
【００２０】
この構成によれば、合成する複数の画像データファイルの切り替えを画像認識によって行うことができる。
【発明の効果】
【００２１】
本発明によれば、撮像手段で撮像した画像に対して、送信先の通話相手に関連のある付加画像を合成するので、送信先の通話相手の嗜好に見合った内容の合成画像を得ることができ、アミューズメント性の高い画像を発信することができる。
【発明を実施するための最良の形態】
【００２２】
以下、本発明を実施するための好適な実施の形態について、図面を参照して詳細に説明する。
【００２３】
図１は、本発明の一実施の形態に係る画像送信装置の概略構成を示すブロック図である。本実施の形態に係る画像送信装置は、本発明をテレビ電話機能を備えた携帯端末に適用したものである。図１において、本実施の形態に係る画像送信装置１は、撮像部１０と、通信部１１と、アンテナ１２と、画像処理部１３と、画像合成タイミング制御部１４と、最適合成画像抽出部１５と、属性付きアドレス帳１６と、ディスプレイ１７と、時計１８と、メモリ１９と、キー入力部２０と、音声認識部２１と、画像認識部２２と、制御部２３とを備えて構成される。
【００２４】
撮像部１０は、所謂カメラであり、ＣＣＤ（Charge Coupled Device）やＣＭＯＳ（Complementary Metal Oxide Semiconductor）等の撮像素子を有し、画像イメージを電気信号に変換して出力する。通信部１１は、移動体通信網（図示略）を介して、他の携帯端末（テレビ電話機能の有無に関係無し）との間で通信を行うものであり、受信時には、受信した無線信号を増幅し、検波した後、Ａ／Ｄ変換（Analog to Digital Conversion）して出力し、送信時には、ベースバンド信号をＤ／Ａ変換（Digital to Analog Conversion）し、直交変調等により高周波信号に変換した後、所要の電力まで電力増幅して出力する。
【００２５】
画像処理部１３は、送信画像に付加画像を合成する処理を行う。ここで、送信画像とは撮像部１０で撮像された画像データ、通話相手の端末から送られてきた画像データ、記録媒体に格納された画像データ、インターネットのサイトから取得した画像データ等である。また、付加画像とは、送信画像に合成する画像である。本実施の形態では、付加画像を、ある送信画像に合成するのに最適な画像という意味で「最適合成画像」と呼んでいる。したがって、「付加画像」と「最適合成画像」とは同じものである。以下では統一して「最適合成画像」と呼ぶこととする。
【００２６】
属性付きアドレス帳１６は、友人や知人等の氏名、住所、電話番号、Ｅメールアドレス、趣味嗜好等の個人情報を登録するものであり、図２にその一例を示す。この図に示す属性情報付きアドレス帳データは、０〜１０の各項目と、０〜１０の各項目に対する属性情報とから構成される。この例では、項目０は「名前」で属性情報は「松下太郎」、項目１は「電話番号」で属性情報は「090-XXXX-XXXX」、項目２は「Ｅメールアドレス」で属性情報は「matsu-tarou@XXX.com」、項目３は「グループ」で属性情報は「ゴルフ仲間」、項目４は「生年月日」で属性情報は「1966年1月30日」、項目５は「趣味」で属性情報は「野球（嫌いなチーム：ＸＸ）」、項目６は「特技」で属性情報は「ダーツ」、項目７は「マイブーム」で属性情報は「お笑い、モノマネ」、項目８は「好きな芸能人」で属性情報は「伊藤三咲」、項目９は「好きな食べ物」で属性情報は「うどん」、項目１０は「好きな服装」で属性情報は「カジュアル」となっている。
【００２７】
図１に戻り、メモリ１９は、画像属性情報付き画像データファイルを記憶するものであり、図３にそのファイル構造を示す。この図に示すように、画像属性情報付き画像データファイル３０１は、画像データファイル３０２と、画像データファイル３０２に関連付けられている画像属性情報３０３とから構成される。画像データファイル３０２は、ＪＰＥＧ（Joint Photograph Experts Group）フォーマットやＰＮＧ（Portable Network Graphic）フォーマットなどに準拠した画像データファイルである。画像属性情報３０３は、画像データファイル３０２の持つ固有の性質や特徴を示す情報であり、位置情報属性３０４と、画像タイプ属性情報３０５と、季節・日付情報３０６とから構成される。位置情報属性３０４は、位置情報（経度、緯度）に関する情報である。画像タイプ属性情報３０５は、画像を幾つかのカテゴリに分類して、それらのカテゴリに関する情報であり、例えば誕生日のお祝いメッセージ、結婚記念日のお祝いなどがある。季節・日付情報３０６は、画像を取得又は作成した季節や日付などを示す情報である。
【００２８】
図１に戻り、最適合成画像抽出部１５は、属性付きアドレス帳１６に登録されている属性情報と関連のある画像データファイル（即ち、最適合成画像）をメモリ１９の画像属性情報付き画像データファイル３０１から抽出する。画像合成タイミング制御部１４は、最適合成画像抽出部１５で抽出された最適合成画像を送信画像に合成するタイミングと、最適合成画像を送信画像に合成する順序を制御する（合成順序リスト）。送信画像に合成する最適合成画像は、属性付きアドレス帳１６の項目毎に得られる（即ち、１人の通話相手に対して複数個得られる）。このため、制御部２３にこれらの最適合成画像の切り替えを行う機能（合成画像切替手段としての機能）を持たせている。制御部２３は、次の（１）〜（８）のいずれか１つをトリガとして最適合成画像の切り替えを行う。
【００２９】
（１）「一定時間」
（２）「日付変更時」
（３）「時間帯」
（４）「通話時の無音検出時」
（５）「音声認識」
（６）「感情推定（喜怒哀楽）」
（７）「キー押下時」
（８）「通話相手の画像（顔、背景画）」
なお、（１）〜（３）は時間情報に関するものであり、（４）〜（６）は音声認識に関するものであり、（７）はキー操作に関するものであり、（８）は画像認識に関するものである。
【００３０】
画像合成タイミング制御部１４内の合成順序リストへの登録は、次の（１）又は（２）により行われる。
（１）「日付や時間に関るものは優先的に表示する」
（２）「過去に合成した最適合成画像を記憶しておき、次の通話では次の最適合成画像から利用する（つまり、過去に使用した最適合成画像は再度使用せず、別な最適合成画像を使用する）」
【００３１】
本実施の形態では、（１）の「日付や時間に関るものは優先的に表示する」を採用しており、画像合成タイミング制御部１４は、最適合成画像抽出部１５で抽出された最適合成画像を日付や時間に関るもの順に並び替えて合成順序リストに登録する。
【００３２】
ディスプレイ１７は、画像送信装置１の使用における各種表示を行う。時計１８は、最適合成画像の切り替え等に使用するための時間情報を出力する。キー入力部２０は、画像送信装置１を使用するための各種操作を行うものであり、複数のキースイッチからなり、各キースイッチのスイッチ信号を制御部２３に入力する。音声認識部２１は、画像送信装置１のユーザの音声や通話相手の音声の認識を行い、その認識結果を制御部２３に入力する。画像認識部２２は、画像処理部１３で処理された画像や通話相手の画像の認識を行い、その認識結果を制御部２３に入力する。
【００３３】
制御部２３は、画像送信装置１の各部を制御するものであり、図示せぬＣＰＵ（Central Processing Unit）と、このＣＰＵを制御するためのプログラムを格納したＲＯＭ（Read Only Memory）等の不揮発性メモリと、ＣＰＵの動作において使用するＲＡＭ（Random Access Memory）等の揮発性メモリを有している。また、制御部２３は、画像認識部２２による通信相手の画像認識結果と音声認識部２１による通信相手の音声認識結果から感情を推定する機能（感情推定手段としての機能）も持つ。制御部２３は、上述したように、画像合成タイミング制御部１４に記憶されている合成順序リストに従って送信画像に合成する複数の最適合成画像を切り替える。そして、切り替えのトリガとして、時計１８からの時間情報、キー入力部２０におけるキー操作、音声認識部２１からの音声認識結果、画像認識部２２からの画像認識結果などを用いる。
【００３４】
なお、上記撮像部１０は撮像手段に対応し、通信部１１は送信手段に対応する。また、画像処理部１３は画像合成手段に対応し、画像合成タイミング制御部１４は画像合成タイミング制御手段及び合成順序制御手段に対応する。また、最適合成画像抽出部１５は画像抽出手段に対応し、属性付きアドレス帳１６は属性情報記憶手段に対応する。また、時計１８は時間情報取得手段に対応し、メモリ１９は画像ファイル記憶手段に対応し、キー入力部２０はキー入力手段に対応する。また、音声認識部２１は音声認識手段に対応し、画像認識部２２は画像認識手段に対応する。また、制御部２３は合成画像切替手段及び感情推定手段に対応する。
【００３５】
次に、上記構成の画像送信装置１の動作について説明する。
図４は、画像送信装置１の最適合成画像の抽出処理を示すフロー図である。この最適合成画像の抽出処理では、図２の属性情報付きアドレス帳データを参照するので、図４における０〜１０の番号は、図２の属性情報付きアドレス帳データの項目番号０〜１０に対応する。なお、項目番号は制御部２３に設けられたカウンタ（図示略）に設定される。
【００３６】
図４において、まず項目番号に「０」を設定する（ステップＳＴ１０）。次いで、項目番号の値を判定する（ステップＳＴ１１）。項目番号が「０」〜「３」のときはステップＳＴ１２に進み、項目番号が「４」のときはステップＳＴ１７に進み、項目番号が「５」のときはステップＳＴ２３に進み、項目番号が「６」〜「１０」のときはステップＳＴ２７に進む。
【００３７】
〔項目番号「０」〜「３」の場合〕
項目番号が「０」でステップＳＴ１２に進むと、項目番号「０」の最適合成画像を抽出する処理を行って、最適合成画像の抽出に成功したかどうか判定する（ステップＳＴ１３）。この判定において、最適合成画像の抽出に成功した場合は、抽出した最適合成画像を画像合成タイミング制御部１４の合成順序リストに登録する（ステップＳＴ１４）。最初の最適合成画像を合成順序リストに登録した後、項目番号を１つインクリメントする（ステップＳＴ１５）。これにより項目番号が「１」になる。ステップＳＴ１３の判定で、最適合成画像の抽出に成功しなかった場合はステップＳＴ１４の処理を行わず、ステップＳＴ１５の処理を行う。
【００３８】
ステップＳＴ１５で項目番号を１つインクリメントした後、項目番号が「１０」を超えた値かどうか判定する（ステップＳＴ１６）。ここでは、項目番号が「０」〜「３」の場合であるので、ステップＳＴ１１に戻る。そして、項目番号「１」、「２」及び「３」について、項目番号「０」のときと同様の処理を行う。これにより、項目番号「１」、「２」及び「３」のそれぞれに対する最適合成画像が画像合成タイミング制御部１４の合成順序リストに登録される。
【００３９】
〔項目番号「４」の場合〕
項目番号が「４」でステップＳＴ１７に進むと、時計１８から現在の日付情報を取得する。次いで、生年月日（項目「４」の属性情報）と現在の日付を比較し（ステップＳＴ１８）、双方が等しいかどうか判定する（ステップＳＴ１９）。双方が等しい場合は何歳の誕生日か算出する（ステップＳＴ２０）。誕生日を算出した後、属性情報が誕生日の最適合成画像を抽出し（ステップＳＴ２１）、さらに年齢に関する最適合成画像も抽出する（ステップＳＴ２２）。
【００４０】
年齢に関する最適合成画像を抽出した後、ステップＳＴ１３に進み、最適合成画像の抽出に成功したかどうか判定する。この場合は最適合成画像の抽出に成功したので、ステップＳＴ１４に進み、抽出した最適合成画像を画像合成タイミング制御部１４の合成順序リストに登録する。そして、ステップＳＴ１５に進み、項目番号を１つインクリメントして「５」としてステップＳＴ１１に戻る。一方、ステップＳＴ１９の判定において、生年月日と現在の日付が等しくない場合は、最適合成画像の抽出に失敗したとして、ステップＳＴ１３からステップＳＴ１５に進み、項目番号を１つインクリメントして「５」としてステップＳＴ１１に戻る。
【００４１】
〔項目番号「５」の場合〕
項目番号が「５」でステップＳＴ２３に進むと、趣味を判定し（ステップＳＴ２３）、属性情報付きアドレス帳データの項目「５」から「野球」であると判断する。そして、嫌いなチームがあるかどうか判定し（ステップＳＴ２４）、嫌いなチームがある場合は、抽出条件から嫌いなチームを排除し（ステップＳＴ２５）、野球に関する最適合成画像を抽出する（ステップＳＴ２６）。一方、ステップＳＴ２４の判定において、嫌いなチームがない場合はステップＳＴ２６に進み、全てのチームについて、野球に関する最適合成画像を抽出する。このようにして野球に関する最適合成画像を抽出した後、ステップＳＴ１３に進み、最適合成画像の抽出に成功したかどうか判定し、最適合成画像の抽出に成功した場合はステップＳＴ１４に進み、抽出した最適合成画像を合成順序リストに登録する。そして、ステップＳＴ１５に進み、項目番号を１つインクリメントして「６」としてステップＳＴ１１に戻る。
【００４２】
〔項目番号「６」〜「１０」の場合〕
項目番号が「６」でステップＳＴ２７に進むと、項目番号「６」の最適合成画像を抽出する処理を行って、最適合成画像の抽出に成功したかどうか判定する（ステップＳＴ１３）。最適合成画像の抽出に成功した場合は、それを画像合成タイミング制御部１４の合成順序リストに登録する（ステップＳＴ１４）。次いで、項目番号を１つインクリメントする（ステップＳＴ１５）。これにより項目番号が「７」になる。そして、項目番号「７」、「８」、「９」及び「１０」について、項目番号「６」のときと同様の処理を行う。これにより、項目番号「７」、「８」、「９」及び「１０」のそれぞれに対する最適合成画像が画像合成タイミング制御部１４の合成順序リストに登録される。項目「１０」の処理を終えて項目番号を１つインクリメントすると、ステップＳＴ１６で項目番号が「１０」を超えるので、本処理を終了する。
【００４３】
このようにして画像送信装置１の属性付きアドレス帳１６に個人のアドレス帳データに加えて登録してある該個人の趣味嗜好を含む属性情報から関連のある最適合成画像をメモリ１９の属性情報付き画像データファイルから抽出し、それを画像合成タイミング制御部１４の合成順序リストに登録する。そして、複数の最適合成画像を該合成順序リストに登録した後、日付や時間に関るものを優先して選択し、送信画像に合成して送信する。この送信においては、複数の最適合成画像を「時間情報」、「キー操作」、「音声認識結果」、「感情推定結果」又は「画像認識結果」に基づいて切り替えて送信する。最適合成画像を送信画像に合成する際、送信画像の背景画に合成することで、送信画像の重要な部分が隠れないようにしている。
【００４４】
図５〜図８は、最適合成画像を送信画像に合成させた一例を示す図である。図５は、友人の誕生日にテレビ電話したときの画像である。この画像の送信においては、アドレス帳に友人の誕生日を登録しておき、その通話相手（友人）の誕生日にテレビ電話をかけることで、お祝いのメッセージを示す最適合成画像５００を背景画５０１に合成して送信する。なお、自作のイラスト画なども背景画として利用可能である。図６は、友人の結婚記念日にテレビ電話したときの画像である。この画像の送信においては、アドレス帳に友人の結婚記念日を登録しておき、その通話相手（友人）の結婚記念日にテレビ電話をかけることで、お祝いのメッセージを示す最適合成画像５００を背景画５０１に合成して送信する。
【００４５】
図７は、サッカーが趣味の友人にテレビ電話したときの画像である。この画像の送信においては、アドレス帳の趣味の欄にサッカーを登録しておき、その通話相手（友人）にテレビ電話をかけることで、サッカーに関連のある最適合成画像５００を背景画５０１に合成して送信する。さらに、日時情報から、例えばワールドカップ期間と重なっている場合は、最適合成画像としてワールドカップに関連のある画像を合成して送信する。また、図８は、うなぎが好物の友人にテレビ電話したときの画像である。この画像の送信においては、アドレス帳の好物の項目にうなぎがあれば、うなぎに関する最適合成画像５００を背景画５０１に合成して送信する。さらに、土用の丑の日近辺の場合は、メッセージ画像も付加して送信する。なお、インターネットを利用してうなぎに関する旬な情報を検索して、テキストや画像情報として合成する。
【００４６】
このように、本実施の形態に係る画像送信装置１によれば、属性付きアドレス帳１６に登録してある個人のアドレス帳データに加えて該個人の趣味嗜好を含む属性情報から関連のある最適合成画像をメモリ１９の属性情報付き画像データファイルから抽出して送信画像に合成して送信するので、常に通話相手（受信側のユーザ）の嗜好に見合った合成画像を発信することができる。
【００４７】
また、１人の通話相手に対して複数の最適合成画像を抽出して画像合成タイミング制御部１４の合成順序リストに登録し、日付や時間に関るものを優先して選択すると共に、複数の最適合成画像を「時間情報」、「キー操作」、「音声認識結果」、「感情推定結果」又は「画像認識結果」に基づいて切り替えるので、よりアミューズメント性の高い飽きのこない画像を発信することができる。
【００４８】
なお、本実施の形態では、最適合成画像を自動的に送信画像に合成するようにしたが、最適合成画像を送信画像に合成するか、しないかをユーザが自由に選択できるようにしても良い。
【００４９】
また、本実施の形態では、通話相手の情報を属性付きアドレス帳１６から取得するようにしたが、このアドレス帳以外にカレンダーと連携して取得することも可能である。
【００５０】
また、本実施の形態では、最適合成画像をメモリ１９の属性情報付き画像データファイルから抽出するようにしたが、その他、インターネットのサイトから取得するようにしても良い。
【００５１】
また、本実施の形態では、本発明の画像送信装置を、テレビ電話機能を備えた携帯端末に適用したが、その他、テレビ会議装置やテレビ電話装置に適用しても良いし、またプログラム化してパソコン等の情報機器に適用しても良い。
【産業上の利用可能性】
【００５２】
本発明は、常に通信相手の嗜好に見合った内容の合成画像を得ることができるといった効果を有し、テレビ電話機能を備えた携帯端末、テレビ会議装置、テレビ電話装置等に適用が可能である。
【図面の簡単な説明】
【００５３】
【図１】本発明の一実施の形態に係る画像送信装置の概略構成を示すブロック図
【図２】図１の画像送信装置が有する属性付きアドレス帳の一例を示す図
【図３】図１の画像送信装置が有する属性情報付き画像データファイルの一例を示す図
【図４】図１の画像送信装置の最適合成画像抽出処理を説明するためのフロー図
【図５】図１の画像送信装置から送信される画像の一例を示す図
【図６】図１の画像送信装置から送信される画像の一例を示す図
【図７】図１の画像送信装置から送信される画像の一例を示す図
【図８】図１の画像送信装置から送信される画像の一例を示す図
【符号の説明】
【００５４】
１  画像送信装置
１０  撮像部
１１  通信部
１２  アンテナ
１３  画像処理部
１４  画像合成タイミング制御部
１５  最適合成画像抽出部
１６  属性付きアドレス帳
１７  ディスプレイ
１８  時計
１９  メモリ
２０  キー入力部
２１  音声認識部
２２  画像認識部
２３  制御部
３０１  画像属性情報付き画像データファイル
３０２  画像データファイル
３０３  画像属性情報
３０４  位置情報属性
３０５  画像タイプ属性情報
３０６  季節・日付情報
５００  最適合成画像
５０１  背景画
【図１】
2008294723.tif 000003
【図２】
2008294723.tif 000004
【図３】
2008294723.tif 000005
【図４】
2008294723.tif 000006
【図５】
2008294723.tif 000007
【図６】
2008294723.tif 000008
【図７】
2008294723.tif 000009
【図８】
2008294723.tif 000010